(57)【要約】【課題】ピンホール効果が安定・確実に得られ、遠近両用の視覚矯正および眼球手術後の残余乱視に対する視覚矯正が安定・確実に可能になり、実用上の視野、明度を確保できる実用的な眼内レンズを提供する。【解決手段】人間の眼球内に挿入され、眼球内で固定された状態で使用されるレンズであって、レンズ正面傍中心部に光路の一部を制限する制限パターンが部分的に形成されることによって、レンズ正面中心部に光学的瞳孔が形成されてなる。【選択図】図１
2010104772.tif 000002
【特許請求の範囲】
【請求項１】
眼球内に固定された状態で使用されるレンズであって、
レンズ正面傍中心部に光路の一部を制限する制限パターンが部分的に形成されることによって、前記レンズ正面中心部にピンホール効果を与える光学的瞳孔が形成されてなることを特徴とする眼内レンズ。
【請求項２】
前記光学的瞳孔が形成された眼内レンズ本体と、
前記眼内レンズ本体を眼内で保持・固定する保持部と、
を有することを特徴とする請求項１に記載の眼内レンズ。
【請求項３】
前記光学的瞳孔が形成されたレンズ本体部と、
レンズ本体部の周囲に位置する周辺部とを有し、
前記レンズ本体部と前記周辺部は一体的に形成され、前記レンズ本体部は水晶体の前方に装着され、前記周辺部は前記レンズ本体部を眼内で保持・固定する保持部として作用する、請求項１に記載の眼内レンズ。
【発明の詳細な説明】
【技術分野】
【０００１】
本発明は、眼球内に固定された状態で使用される眼内レンズに関するものである。
【背景技術】
【０００２】
近年、眼内レンズ（Intraocular lens;IOL）が実用化されている。眼内レンズは、挿入位置に着目して分類すると、水晶体と置換するために挿入するもの、既存のレンズの前方に補正用として挿入するもの、水晶体の前方に装着（移植）する有水晶体眼内レンズ（Phakic Intraocular lens、眼内コンタクトレンズ）などがある。
【０００３】
従来、白内障、老眼などの手術に際して、眼球内に挿入され固定される眼内レンズには、単焦点レンズ、または、屈折型あるいは回折型あるいは屈折・回折を組み合わせた構造を有する多焦点レンズのいずれかを使用している。
【０００４】
しかし、従来の単焦点レンズは、遠視および近視の両方に対する視覚矯正効果が必ずしも十分には得られない。
【０００５】
一方、人間の眼球の角膜上（眼球外）に装着し、非固定状態で使用するコンタクトレンズの分野では、従来、遠近両用の二焦点レンズ、度数が境目なく自然に変化する領域を含む多焦点レンズなどが実用化されている。また、非固定状態で使用するコンタクトレンズにおいて、ピンホール効果を利用するアイデアが特許文献１、２、３、４、５などで提案されている。これらのコンタクトレンズはその正面中心部に、ピンホール効果を与えるピンホール部を有している。
【０００６】
しかし、上記した角膜上に装着し、非固定状態で使用するコンタクトレンズは、よく知られているように眼球の移動等に起因して装着位置がずれる。このため、眼球に対するピンホール部の相対位置が不安定であり、ピンホール効果が安定・確実に得られない。このような理由により、角膜上に装着するコンタクトレンズにピンホール効果を利用することは、実用性に難点がある。
【先行技術文献】
【特許文献】
【０００７】
【特許文献１】特開平１１−２４２１９１号公報
【特許文献２】特開平８−２９７４０号公報
【特許文献３】特許第６７１５２０号（特公昭４７−２３２２７号）公報
【特許文献４】特開平２−１３４６１２号公報
【特許文献５】特表平９−５０２５４２号公報
【発明の概要】
【発明が解決しようとする課題】
【０００８】
本発明は、前記した従来の眼内レンズが有する問題点を解決すべくなされたもので、ピンホール効果を安定・確実に利用することができ、遠近両用の視覚矯正および眼球手術後の残余乱視に対する視覚矯正が安定・確実に可能になり、入射光量を確保することによって実用上の視野、明度を確保できる実用的な眼内レンズを提供することを目的とする。
【課題を解決するための手段】
【０００９】
本発明の眼内レンズは、眼球内に固定された状態で使用されるレンズであって、レンズ正面傍中心部に光路の一部を制限する制限パターンが部分的に形成されることによって、前記レンズ正面中心部にピンホール効果を与える光学的瞳孔が形成されてなることを特徴とする。
【発明の効果】
【００１０】
本発明によれば、ピンホール効果を安定・確実に利用することができ、遠近両用の視覚矯正および眼球手術後の残余乱視に対する視覚矯正が安定・確実に可能になり、入射光量を確保することによって実用上の視野、明度を確保できる実用的な眼内レンズを提供することができる。
【図面の簡単な説明】
【００１１】
【図１】本発明に係る眼内レンズの一例を概略的に示す斜視図および眼内レンズ本体部分を概略的に示す正面図。
【図２】本発明に係る眼内レンズの他の例を概略的に示す斜視図。
【図３】本発明の実施例２における遮光パターンを概略的に示す正面図。
【図４】本発明の実施例３における遮光パターンを概略的に示す正面図。
【図５】本発明の実施例４における遮光パターンを概略的に示す正面図。
【図６】本発明の実施例５における遮光パターンを概略的に示す正面図。
【図７】本発明の実施例６における遮光パターンを概略的に示す正面図。
【図８】本発明の実施例７における遮光パターンを概略的に示す正面図。
【図９】本発明の実施例８における遮光パターンを概略的に示す正面図。
【図１０】本発明の実施例９における遮光パターンを概略的に示す正面図。
【図１１】本発明の実施例１０における遮光パターンを概略的に示す正面図。
【発明を実施するための最良の形態】
【００１２】
以下、図面を参照して本発明の実施形態を説明する。この説明に際して、全図にわたり共通する部分には共通する参照符号を付す。
【００１３】
＜第１の実施形態＞
図１（ａ）は、本発明の第１の実施形態に係る眼内レンズの一例を概略的に示す斜視図である。図に示す眼内レンズ１０は、透明体からなる眼内レンズ本体１１と、眼内レンズ本体１１を眼内で保持・固定するための保持部１２とを有している。眼内レンズ本体１１には、光路（光入力）の一部を制限する制限パターンが部分的に形成されることによって、正面中心部にピンホール状の光学的瞳孔１４が形成されている。この光学的瞳孔１４はピンホール効果を与える。光学的瞳孔１４制限パターンのパターン形状、制限パターンによる光路の制限範囲、制限パターンによる光入力の制限量などは、実用上の適切な開口率を考慮しつつ、後述するように種々の実施が可能である。
【００１４】
図１（ｂ）は、図１（ａ）中の眼内レンズ本体部分を概略的に示す正面図である。眼内レンズ本体１１には、正面中心部に光学的瞳孔１４を形成するための制限パターン（本例では遮光パターン１３）が眼内レンズ本体１１の正面傍中心部（正面中心の周辺部）に形成されている。
【００１５】
眼内レンズ本体１１は、度付きあるいは度無しの透明体レンズであればよく、形状は問わず、材質は眼毒性がなければよく、着色されていてもよく、既存の形状、材質（ＰＭＭＡ、アクリル樹脂、シリコン樹脂など）の眼内レンズを用いることができる。眼内レンズ本体１１は、たとえば白内障手術で摘出された水晶体の代わりに眼球内で保持・固定される人工の水晶体として機能する。
【００１６】
遮光パターン１３の全体の大きさは、暗視時において眼球の虹彩により形成される瞳孔の大きさよりも小さい。ここで、暗視時における瞳孔の外縁の一例を図１（ｂ）中にＡで示す。また、光学的瞳孔１４の大きさは、通常の光入力時（明視時）において眼球の虹彩により形成される瞳孔の大きさよりも小さい。ここで、明視時における瞳孔の外縁の一例を図１（ｂ）中にＢで示す。
【００１７】
遮光パターン１３は、眼内レンズ本体１１の正面から見て中心に同心的な配置で形成されていることが望ましい。遮光パターン１３の全体形状は、中心部の外周方向において連続的あるいは非連続的に形成されたものなど、任意に設定可能である。遮光パターン１３の中心部に形成される光学的瞳孔１４の形状は、円形に限らず、四角形、六角形、八角形などの多角形であってもよい。
【００１８】
遮光パターン１３の材質は、眼毒性がないものが用いられる。遮光パターン１３は、たとえば薄膜により形成することができ、その形成位置は、眼内レンズ本体１１の表面に限らず、重ね合わせ構造の場合にはレンズ本体内部の重ね合わせ面など、任意に選択可能である。
【００１９】
遮光パターン１３による遮光（光路制限）の度合いは、一定であっても、部分的に変化してもよい。例えば、正面中心に同心的なリング領域内の長さ方向において間欠的な配置で遮光パターン１３を形成してもよい。また、遮光パターン１３として、調光素材を用いることによって、入力光量に応じて遮光の度合いとか着色の度合いが部分的あるいは全面的に変化するように調光機能を持たせるように形成してもよい。
【００２０】
上記した本実施形態の眼内レンズ１０は、人間の眼球内に挿入され、眼内で固定された状態で使用される眼内レンズに対してピンホール効果を利用することによって、以下の効果が得られる。眼球内におけるレンズ正面中心部の光学的瞳孔の相対位置が安定であるのでピンホール効果が安定・確実に得られる。このピンホール効果により、焦点深度が深くなり、視認深度が深くなるので、遠近両用の視覚矯正効果が安定・確実に得られ、加齢などによる調節力の低下を救済することができる。また、眼球手術後の残余乱視（角膜や眼球自身の歪による乱視）が存在しても、ピンホール効果により、従来構造の多焦点レンズと比べて二重視が生じ難く、視覚矯正効果が得られる。しかも、本実施形態の眼内レンズ１０は、従来構造の多焦点レンズと比べて、ハロー、グレアも発生し難いという利点もある。
【００２１】
なお、遮光パターン１３により形成された光学的瞳孔１４の大きさは明視時において眼球の虹彩により形成される瞳孔の大きさよりも小さく、遮光パターン１３の大きさは暗視時において眼球の虹彩により形成される瞳孔の大きさよりも小さく形成することにより、瞳孔の外縁と遮光パターン１３の外縁との間における眼内レンズ本体１１の透明領域への入力光が有効になる。したがって、入射光量を確保することによって実用上の視野、明度を確保できる実用的な眼内レンズが実現される。
【００２２】
＜第２の実施形態＞
図２は、本発明の第２の実施形態に係る眼内レンズの一例を概略的に示す斜視図である。第２の実施形態に係る眼内レンズは、人間の眼球内に挿入され、水晶体の前方に装着（移植）され、眼内で固定された状態で使用される眼内装着用コンタクトレンズである。この眼内レンズ２０は、水晶体の前方に装着される透明体からなるレンズ本体部２１と、レンズ本体部２１の周囲に位置する周辺部２２を有している。レンズ本体部２１と周辺部２２は一体的に形成されている。周辺部２２は、レンズ本体部２１を眼内で保持・固定するための保持部として作用する。
【００２３】
レンズ本体部２１は、正面中心部にピンホール効果を与える光学的瞳孔２４を形成するために制限パターン（本例では遮光パターン２３）が正面傍中心部（正面中心の周辺部）に形成されている。本例では、遮光パターン２３は正面傍中心部のみに形成されている。
【００２４】
レンズ本体部２１は、度付きあるいは度無しの透明体レンズであればよく、形状は問わず、材質は眼毒性がなければよく、着色されていてもよく、既存の形状、材質（ＰＭＭＡ、シリコン樹脂など）を用いることができる。
【００２５】
遮光パターン２３の全体の面積は、暗視時において眼球の虹彩により形成される瞳孔の大きさよりも小さく、光学的瞳孔２４の大きさは、明視時において眼球の虹彩により形成される瞳孔の大きさよりも小さい。
【００２６】
遮光パターン２３は、レンズ本体部２１の正面から見て中心に同心的な配置で形成されていることが望ましい。遮光パターン２３の全体形状は、中心部の外周方向において連続的あるいは非連続的に形成されたものなど、任意に設定可能である。遮光パターン２３の中心部に形成される光学的瞳孔２４の形状は、円形に限らず、四角形、六角形、八角形などの多角形であってもよい。
【００２７】
遮光パターン２３の材質は、眼毒性がないものが用いられる。遮光パターン２３は、たとえば薄膜により形成することができ、その形成位置は、レンズ本体部２１の表面に限らず、重ね合わせ構造の場合にはレンズ本体内部の重ね合わせ面など、任意に選択可能である。
【００２８】
遮光パターン２３による遮光（光路制限）の度合いは、一定であっても、部分的に変化してもよい。例えば、正面中心に同心的なリング領域内の長さ方向において間欠的な配置で遮光パターン２３を形成してもよい。また、遮光パターン２３として、調光素材を用いることによって、入力光量に応じて遮光の度合いとか着色の度合いが部分的あるいは全面的に変化するように調光機能を持たせるように形成してもよい。
【００２９】
また、遮光パターン２３の周辺に、遮光パターン以外のパターン（たとえば大きな瞳模様の装飾用パターンなど）を形成するようにしてもよい。
【００３０】
上記した第２の実施形態によれば、眼球内の水晶体をそのまま使用した状態で水晶体の前方に装着（移植）され、眼内で固定された状態で使用される眼内レンズに対してピンホール効果を利用することによって、前述した第１の実施形態と同様の効果が得られる。
【実施例１】
【００３１】
図１（ｂ）は、本発明の実施例１における遮光パターンを概略的に示す正面図である。この遮光パターン１３は、レンズ本体１１の正面傍中心部において円形のリング領域内で非連続的に複数本（例えば８本）の細い放射状パターンが密なピッチで形成されている。遮光パターン１３の全体の大きさ（本例では、遮光パターンが形成された円形のリング領域の直径）は、暗視時において眼球の虹彩により形成される瞳孔の大きさよりも小さい５ｍｍ〜６ｍｍの範囲内で適切な値に形成されている。遮光パターン中心部の光学的瞳孔１４はほぼ円形であり、その直径は、明視時において眼球の虹彩により形成される瞳孔の大きさよりも小さい０．２ｍｍ〜２．５ｍｍの範囲内で適切な値に形成されている。
【００３２】
実施例１によれば、遮光パターン１３の大きさは暗視時における瞳孔の大きさよりも小さく、光学的瞳孔１４の大きさは明視時における瞳孔の大きさよりも小さい。これにより、ピンホール効果を利用して遠近両用の視覚矯正が可能であり、且つ、実用上の視野、明度を確保できる実用的な眼用レンズを実現することができる。また、遮光パターン１３として放射状パターンが非連続的に形成されているので、眼内レンズの挿入後においてレーザーによる後嚢の切開が可能な光路を確保することができる。
【００３３】
なお、遮光パターン１３に調光機能を持たせるように形成し、入力光量が少ない場合には、後述する実施例２の図３に示すような粗いピッチの放射状パターンに変化させるようにし、明度を高めるようにしてもよい。
【実施例２】
【００３４】
図３は、本発明の実施例２における遮光パターンを概略的に示す正面図である。この遮光パターン３１は、レンズ本体の正面傍中心部において円形のリング領域内で非連続的に複数本（例えば４本）の細い放射状パターンが粗いピッチで形成されている。遮光パターン中心部の光学的瞳孔はほぼ円形である。遮光パターン３１の大きさおよび光学的瞳孔の大きさは、前述した実施例１と同様である。実施例２によれば、前述した実施例１とほぼ同様の効果が得られる。
【実施例３】
【００３５】
図４は、本発明の実施例３における遮光パターンを概略的に示す正面図である。この遮光パターン４１は、レンズ本体の正面傍中心部において円形のリング領域内で非連続的に複数本（例えば４本）の太いリング状パターンが形成されたものである。遮光パターン中心部の光学的瞳孔はほぼ円形である。遮光パターン４１の大きさおよび光学的瞳孔の大きさは、前述した実施例１と同様である。
【００３６】
実施例３によれば、前述した実施例１とほぼ同様の効果が得られるほか、遮光パターン４１として太いパターンが形成されているので、ピンホール効果が大きくなり、大きな視覚矯正効果を期待できる。
【実施例４】
【００３７】
図５は、本発明の実施例４における遮光パターンを概略的に示す正面図である。この遮光パターン５１は、レンズ本体の正面傍中心部において八角形のリング領域内で連続的に太いパターンが形成されたものである。遮光パターン中心部の光学的瞳孔は八角形である。遮光パターン５１の大きさおよび光学的瞳孔の大きさは、前述した実施例１と同様である。
【００３８】
実施例４によれば、前述した実施例１と同様に、ピンホール効果を利用して遠近両用の視覚矯正が可能であり、且つ、実用上の視野、明度を確保できる実用的な眼用レンズを実現することができる。また、遮光パターン５１として太いパターンが連続的に形成されているので、ピンホール効果がより大きくなり、より大きな視覚矯正効果を期待できる。この場合、光学的瞳孔は八角形であるので、実施例１とは異なるピンホール効果が得られ、個人差に応じた適切な視覚矯正効果を期待できる。
【００３９】
なお、遮光パターン５１に調光機能を持たせるように形成し、入力光量が少ない場合には、後述する実施例５の図６に示すような細いパターンに変化させるようにし、明度を高めるようにしてもよい。
【実施例５】
【００４０】
図６は、本発明の実施例５における遮光パターンを概略的に示す正面図である。この遮光パターン６１は、レンズ本体の正面傍中心部において八角形のリング領域内で連続的に細いパターンが形成されたものである。遮光パターン中心部の光学的瞳孔は八角形である。遮光パターン６１の大きさおよび光学的瞳孔の大きさは、前述した実施例１と同様である。
【００４１】
実施例５によれば、前述した実施例４と同様に、ピンホール効果を利用して遠近両用の視覚矯正が可能であり、且つ、実用上の視野、明度を確保できる実用的な眼用レンズを実現することができる。また、遮光パターン６１としてパターンが連続的に形成されているので、ピンホール効果が大きくなり、大きな視覚矯正効果を期待できる。この場合、光学的瞳孔は八角形であるので、実施例１とは異なるピンホール効果が得られ、個人差に応じた適切な視覚矯正効果を期待できる。
【実施例６】
【００４２】
図７は、本発明の実施例６における遮光パターンを概略的に示す正面図である。この遮光パターン７１は、レンズ本体の正面傍中心部において四角形のリング領域内で非連続的に複数本（例えば４本）の太いパターンが形成されたものである。遮光パターン中心部の光学的瞳孔はほぼ四角形である。遮光パターン７１の大きさおよび光学的瞳孔の大きさは、前述した実施例１と同様である。
【００４３】
実施例６によれば、前述した実施例１とほぼ同様の効果が得られる。この場合、
光学的瞳孔はほぼ四角形であるので、実施例１とは異なるピンホール効果が得られ、個人差に応じた適切な視覚矯正効果を期待できる。
【実施例７】
【００４４】
図８は、本発明の実施例７における遮光パターンを概略的に示す正面図である。この遮光パターン８１は、実施例６に示した遮光パターンの各コーナーの外側に対向するように、八角形のリング領域内で非連続的に細いパターンが追加形成されている。遮光パターン中心部の光学的瞳孔はほぼ四角形である。遮光パターン８１の大きさおよび光学的瞳孔の大きさは、前述した実施例１と同様である。
【００４５】
実施例７によれば、前述した実施例１とほぼ同様の効果が得られる。この場合、遮光パターン８１のうち、少なくとも内側のリング領域の大きさが暗視時における瞳孔の大きさよりも小さく形成されていれば、瞳孔の外縁と内側のリング領域の外縁との間におけるレンズ本体の透明領域への入力光が有効になる。
【００４６】
なお、実施例７の遮光パターン６１に調光機能を持たせるように形成し、入力光量が少ない場合には前述した実施例６の図７に示したような四角形のリングパターンに変化させるようにし、明度を高めるようにしてもよい。
【実施例８】
【００４７】
図９は、本発明の実施例８における遮光パターンを概略的に示す正面図である。この遮光パターン９１は、レンズ本体の正面傍中心部において二重の円形リング領域内で連続的に細いパターンが形成されたものである。遮光パターン中心部の光学的瞳孔は円形である。遮光パターン９１の大きさおよび光学的瞳孔の大きさは、前述した実施例１と同様である。
【００４８】
実施例８によれば、前述した実施例１とほぼ同様に、ピンホール効果を利用して遠近両用の視覚矯正が可能であり、且つ、実用上の視野、明度を確保できる実用的な眼内レンズを実現することができる。この場合、遮光パターン９１のうち、少なくとも内側のリング領域の大きさが暗視時における瞳孔の大きさよりも小さく形成されていれば、瞳孔の外縁と内側のリング領域の外縁との間におけるレンズ本体の透明領域への入力光が有効になる。
【００４９】
また、遮光パターン９１としてパターンが連続的に形成されているので、ピンホール効果が大きくなり、大きな視覚矯正効果を期待できる。
【実施例９】
【００５０】
図１０は、本発明の実施例９における遮光パターンを概略的に示す正面図である。この遮光パターン１０１は、レンズ本体の正面傍中心部において四角形のリング領域内で連続的に細いパターンが形成され、さらに、上記パターンの各辺の外側に対向するように、四角形のリング領域内で非連続的に細い直線パターンが形成されたものである。遮光パターン中心部の光学的瞳孔は四角形である。遮光パターン９１の大きさおよび光学的瞳孔の大きさは、前述した実施例１と同様である。
【００５１】
実施例９によれば、前述した実施例１とほぼ同様に、ピンホール効果を利用して遠近両用の視覚矯正が可能であり、且つ、実用上の視野、明度を確保できる実用的な眼内レンズを実現することができる。この場合、遮光パターン１０１のうち、少なくとも内側のリング領域の大きさが暗視時における瞳孔の大きさよりも小さく形成されていれば、瞳孔の外縁と内側のリング領域の外縁との間におけるレンズ本体の透明領域への入力光が有効になる。
【００５２】
また、遮光パターン１０１としてパターンが連続的に形成されているので、ピンホール効果が大きくなり、大きな視覚矯正効果を期待できる。この場合、光学的瞳孔は四角形であるので、実施例１とは異なるピンホール効果により、個人差に応じた適切な視覚矯正効果を期待できる。
【実施例１０】
【００５３】
図１１は、本発明の実施例１０における遮光パターンを概略的に示す正面図である。この遮光パターン１１１は、レンズ本体の正面傍中心部において円形のリング領域内で連続的に太いパターンが形成されたものである。遮光パターン中心部の光学的瞳孔は円形である。遮光パターン１１１の大きさおよび光学的瞳孔の大きさは、前述した実施例１と同様である。
【００５４】
実施例１０によれば、前述した実施例８とほぼ同様に、ピンホール効果を利用して遠近両用の視覚矯正が可能であり、且つ、実用上の視野、明度を確保できる実用的な眼内レンズを実現することができる。また、遮光パターン１１１として太いパターンが連続的に形成されているので、ピンホール効果がより大きくなり、より大きな視覚矯正効果を期待できる。
【００５５】
なお、実施例１０の遮光パターン１１１に調光機能を持たせるように形成し、入力光量が少ない場合には前述した実施例８の図９に示したような二重の円形リングパターンとか、前述した実施例３の図４に示したような非連続的な円形リングパターンに変化させるようにし、明度を高めるようにしてもよい。
【００５６】
なお、本発明は前述した各実施の形態および実施例に限定されることなく、特許請求の範囲に記載した発明の範囲内で、種々の変形が可能であり、それらも本発明の範囲内に含まれるものであることはいうまでもない。例えば、人間以外の動物に対する眼内レンズにも本発明を適用することが可能である。
【符号の説明】
【００５７】
１０…眼内レンズ、１１…眼内レンズ本体、１２…保持部、１３…制限パターン（遮光パターン）、１４…光学的瞳孔。
【図１】
2010104772.tif 000003
【図２】
2010104772.tif 000004
【図３】
2010104772.tif 000005
【図４】
2010104772.tif 000006
【図５】
2010104772.tif 000007
【図６】
2010104772.tif 000008
【図７】
2010104772.tif 000009
【図８】
2010104772.tif 000010
【図９】
2010104772.tif 000011
【図１０】
2010104772.tif 000012
【図１１】
2010104772.tif 000013